(57)【特許請求の範囲】
【請求項１】
地盤や構造物などの締付け対象物に埋設されたアンカーと、前記アンカー内に配設された緊張用テンドンの突出端に固定した定着具と、前記定着具と前記締付け対象物との間に介装され、両者を離間する方向に付勢する弾性部材とを備え、前記定着具を介して前記テンドンに緊張力を導入し、この緊張力に伴う緊張反力を前記締付け対象物に伝達するアンカー頭部の定着構造において、前記弾性部材は、前記テンドンを中心にして、その外周を取り巻くように配置した複数の小径バネ材で構成し、
前記定着具と前記小径バネ材との間に支圧板を設置し、前記小径バネ材の位置決め装着ガイド機能と、回復不能の変形を防止するストッパ機能とを備えた複数の円筒状突起部を、前記支圧板、または、前記締付け対象物側に設けたことを特徴とするアンカー頭部の定着構造。
【請求項２】
前記複数の小径バネ材は、前記テンドンを中心として、その外周に環状に配置することを特徴とする請求項１記載のアンカー頭部の定着構造。
【請求項３】
前記バネ材は、小径皿バネからなることを特徴とする請求項１または２のいずれかに記載のアンカー頭部の定着構造。 
【請求項４】
前記小径バネ材と前記締付け対象物との間にバネ受けブロックを介装し、前記バネ受けブロックに前記円筒状突起部の挿入ガイド孔を設けたことを特徴とする請求項３記載のアンカー頭部の定着構造。
【請求項５】
前記小径バネ材は、上部および下部ユニットボックス内に収納され、前記上部または下部ユニットボックスに、前記円筒状突起部が挿入されるガイド部を設けたことを特徴とする請求項３記載のアンカー頭部の定着構造。
【発明の詳細な説明】
【０００１】
【発明の属する技術分野】
この発明は、アンカー頭部の定着構造に関し、特に、弾性部材を用いるアンカー頭部の定着構造に関するものである。
【０００２】
【従来の技術】
地滑りが発生し易い地盤や法面および土留め壁などの構造物の安定対策として、例えば、アンカーを地盤などの安定化対象物中に埋設するグラウンドアンカー工法が知られている。
【０００３】
このグラウンドアンカー工法で埋設されるアンカーは、頭部，引張り部，定着部を備えていて、内部に緊張用テンドンが配設されている。テンドンは、引張り部において、シース管で被覆されていて、定着部では、地盤中にグラウトにより固定される。
【０００４】
テンドンに緊張力を導入する際には、頭部にジャッキなどの緊張具を装着し、テンドンを引張ることにより緊張力が導入され、テンドンは、頭部に定着具を設置することにより、この緊張状態が維持される。
【０００５】
このときの緊張に伴う緊張反力は、直接または支圧板を介して地盤側に伝達され、このような緊張反力を常時地盤に作用させることで、地盤の安定化を図かる。
【０００６】
ところで、この種のアンカー工法に用いられる頭部の定着構造には、定着具と締付け対象物との間に皿バネを介装し、両者を相互に離間する方向に付勢しておくことにより、緊張力の伝達が地震の際などに緩まないようにした構造が提案されている。
【０００７】
この場合、皿バネは、アンカーテンドンがその中心を貫通するようにして、アンカーテンドンの外周に配置されていたが、このようなアンカー頭部の定着構造には、以下に説明する技術的な課題があった。
【０００８】
【発明が解決しようとする課題】
すなわち、前述した構成のアンカー頭部の定着構造では、アンカーの緊張力が大きくなると、これに対応させて、皿バネの積層枚数を多くするか、あるいは、径の大きな皿バネを使用することになるが、皿バネの積層枚数を多くすると、皿バネの総高が大きくなり、アンカー頭部が締付け対象物から大きく突出して、他の構造物に影響を及ぼすなどの問題がある。
【０００９】
一方、皿バネの径を大きくすると、皿バネの内径も大きくなり、アンカー頭部への設置が難しくなるとともに、大径の皿バネの製造に特別の技術が必要になり、製造費用が高くなるという問題がある。
【００１０】
また、例えば、アンカーの打設角度が斜面に垂直でない場合などには、アンカー頭部に偏心荷重が作用する可能性があるが、このような場合には、皿バネの中心をアンカーテンドンが貫通するように配置されていると、偏心荷重に効果的に対応することができないという問題もあった。
【００１１】
本発明は、このような従来の問題点に鑑みてなされたものであって、その目的とするところは、大きな緊張力に対して、総高の増大化を回避しつつ、経済的に対応することができ、しかも、偏心荷重に対しても対応することができるアンカー頭部の定着構造を提供することにある。
【００１２】
【課題を解決するための手段】
上記目的を達成するために、本発明は、地盤や構造物などの締付け対象物に埋設されたアンカーと、前記アンカー内に配設された緊張用テンドンの突出端に固定した定着具と、前記定着具と前記締付け対象物との間に介装され、両者を離間する方向に付勢する弾性部材とを備え、前記定着具を介して前記テンドンに緊張力を導入し、この緊張力に伴う緊張反力を前記締付け対象物に伝達するアンカー頭部の定着構造において、前記弾性部材は、前記テンドンを中心にして、その外周を取り巻くように配置した複数の小径バネ材で構成し、前記定着具と前記小径バネ材との間に支圧板を設置し、前記小径バネ材の位置決め装着ガイド機能と、回復不能の変形を防止するストッパ機能とを備えた複数の円筒状突起部を、前記支圧板、または、前記締付け対象物側に設けた。このように構成したアンカー頭部の定着構造によれば、定着具と締付け対象物との間に介装され、両者を離間する方向に付勢する弾性部材を、テンドンを中心にして、その外周を取り巻くように配置した複数の小径バネ材で構成しているので、テンドンに導入される緊張力が大きくなると、テンドンを取り巻く小径バネ材の数を増加させることで対応することが可能になる。また、定着具と締付け対象物との間に介装され、両者を離間する方向に付勢する弾性部材を、テンドンを中心にして、その外周を取り巻くように配置した複数の小径バネ材で構成すると、偏心荷重が作用した際に、複数の小径バネ材は、加えられる荷重に対して、個別に変形することができるので、偏心荷重に対してもある程度対応することができる。さらに、定着具と小径バネ材との間に支圧板を設置し、小径バネ材の位置決め装着ガイド機能と、回復不能の変形を防止するストッパ機能とを備えた複数の円筒状突起部を、支圧板、または、締付け対象物側に設けているので、円筒状突起部に複数の小径バネ材を装着すると、その位置決め配置が終了するので、取扱いが簡単になり、施工性が向上する。前記複数の小径バネ材は、前記テンドンを中心として、その外周に環状に配置することができる。この構成によれば、小径バネ材の配置バランスを容易に採ることができるとともに、テンドンに導入される緊張力が大きくなると、同心円の数を増加させることにより容易に対応することができる。前記バネ材には、小径皿バネを好適に用いることができる。前記小径バネ材と前記締付け対象物との間にバネ受けブロックを介装し、前記バネ受けブロックに前記円筒状突起部の挿入ガイド孔を設けることができる。この構成によれば、小径バネ材の変形挙動が、円筒状突起部をバネ受けブロックの挿入ガイド孔内に挿入することにより規制されるので、小径バネ材の弾性変形が安定する。前記小径バネ材は、上部および下部ユニットボックス内に収納され、前記上部または下部ユニットボックスに、前記円筒状突起部が挿入されるガイド部を設けることができる。この構成によれば、小径バネ材は、上部および下部ユニットボックス内に収納されユニット化されるので、取扱い性がより一層向上する。
【００１３】
【発明の実施の形態】
以下、本発明の好適な実施の形態について、添付図面を参照にして詳細に説明する。図１から図３は、本発明にかかるアンカー頭部の定着構造の第１実施例を示している。
【００１４】
同図に示した定着構造は、グラウンドアンカー工法に本発明を適用した場合を例示している。図１は、締付け対象物である法面地盤１０中にアンカー１２を埋設設置した状態の断面図である。
【００１５】
アンカー１２は、法面地盤１０中に掘削された削孔１４中にグラウト材１６を注入することにより、深部において固定設置されていて、このアンカー１２内には、緊張用のテンドン１８が配設されている。
【００１６】
テンドン１８は、鋼線，鋼材をシースで被覆した形態のものである。アンカー１２が法面地盤１０から外方に突出した頭部側には、定着構造部２０が設けられている。
【００１７】
本実施例の定着構造部２０は、法面地盤１０の表面側にコンクリート製ののり面工２２を形成し、こののり面工２２上に配置されており、複数の小径皿バネ２４（弾性部材）と、円盤状の支圧板２６と、定着具２８と、ヘッドキャップ３０とを有している。
【００１８】
のり面工２２の上端面には、台座プレート３２が固設されていて、この台座プレート３２の中央には、テンドン１８を挿通する貫通孔３４が形成されていて、この貫通孔３４の内周側には、円筒状のガイドパイプ３６が挿通されている。
【００１９】
ガイドパイプ３６は、上下端が開口し、内挿されたテンドン１８の長手方向に沿って、上下方向に延設されていて、その上端側は、支圧板２６の下面側に当接されている。
【００２０】
小径皿バネ２４は、支圧板２６と台座プレート３２との間に介装されて、これらの両者を相互に離間する方向に付勢するものであって、本実施例の場合には、複数枚から構成され、図２にその配置状態を示すように、テンドン１８を中心にして、その外周を取り巻くように環状に配置されている。
【００２１】
また、本実施例の場合には、各小径皿バネ２４の中心は、テンドン１８の中心軸を軸心とする同心円上に配置され、かつ、テンドン１８の中心軸を軸心として、一対ずつが対向するようにして、対称に配置されている。
【００２２】
各小径皿バネ２４は、その詳細を図３に示すように、外観が概略円錐台形状のものであって、上下端に小径および大径貫通孔２４ａ，２４ｂが形成されている。小径貫通孔２４ａは、内ガイドパイプ３６の挿通が可能な大きさになっている。
【００２３】
本実施例の場合には、図３に示したように、小径皿バネ２４は、大径貫通孔２４ｂ同士が相互に当接するように、上下に２枚を重ね合わせたものを、さらに２層に積層した状態で、合計４枚の組が、テンドン１８の外周に等角度間隔で６組配置している。
【００２４】
このような状態に積層された小径皿バネ２４は、支圧板２６の下面側に突出するように一端が固設された円筒状突起部３８に挿入されていて、位置決めされた状態で配置されている。
【００２５】
この円筒状突起部３８は、テンドン１８の外周に小径皿バネ２４が上記した状態で配置されるように、複数が所定の間隔を隔てて、同心円上に配置されていて、小径皿バネ２４を位置決め装着する際のガイドとなるものであり、また、その先端側は、台座プレート３２の上端から所定の間隔を隔てて離間するように設定されていて、例えば、大きな地震などが加わった際に、先端が台座プレート３２に当接することにより、小径皿バネ２４に回復不能の変形を及ぼす力が加えられないように保護するストッパとしての機能も備えている。
【００２６】
支圧板２６の上面側には、これよりも小径のジョイントプレート４０が載置され、このジョイントプレート４０の上面側に定着具２８が設置されている。定着具２８は、定着プレート２８ａと、楔コーン２８ｂとを備えている。
【００２７】
ヘッドキャップ３４は、両端が開口した円筒状のものであって、小径皿バネ２４の外周側を覆うようにして、支圧板２６の外周縁に垂設固定されている。アンカー１２のテンドン１８に緊張力を導入する際には、定着具２８を装着する前に、テンドン１８の端部にジャッキなどの緊張具を装着し、テンドン１８を引張ることにより緊張力を導入する。
【００２８】
そして、この状態で、ジョイントプレート４０の上面側に定着プレート２８ａを載せて、楔コーン２８ｂを各テンドン１８の外周側に装着して、楔コーン２８ｂを定着プレート２８ａのテーパ孔内に挿入して、緊張具の引張り力を除去する。
【００２９】
引張り力を除去すると、テンドン１８に導入されている緊張反力が、定着具２８を介して支圧板２６に伝達され、この緊張反力を受けた支圧板２６は、小径皿バネ２４を介して、この緊張反力を台座プレート３２に伝達する。
【００３０】
台座プレート３２は、実質的に法面地盤１０と同じ部分であり、法面地盤１０がこの緊張反力を受けることにより安定化する。このようなグラウンドアンカーの設置終了状態においては、小径皿バネ２４は、支圧板２６からの緊張反力を受けて圧縮変形させられているので、支圧板２６と台座プレート３２との間を離間させる方向に付勢している。
【００３１】
さて、以上のように構成されたアンカー頭部の定着構造によれば、定着具２８と地盤１０(締付け対象物)との間に介装され、両者を離間する方向に付勢する弾性部材を、テンドン１８を中心にして、その外周を取り巻くように配置した複数の小径皿バネ２４(バネ材)で構成しているので、テンドン１８に導入される緊張力が大きくなると、テンドン１８を取り巻く小径皿バネ２４(バネ材)の数を増加させることで対応することが可能になる。
【００３２】
このため、バネ材の総高を増大化させることなく、大きな緊張力の導入が可能になり、地盤１０から外方に突出するアンカー頭部の突出量を抑制することができ、突出に伴なう他の構造物ヘの影響をなどを回避することができる。
【００３３】
また、緊張力の増加に対して、小径皿バネ２４(バネ材)の数を増加させることで対応させると、皿バネの大径化も回避することができるので、製造に特別な技術を要せず、経済的になる。
【００３４】
さらに、定着具２８と地盤１０(締付け対象物)との間に介装され、両者を離間する方向に付勢する弾性部材を、テンドン１８を中心にして、その外周を取り巻くように配置した複数の小径皿バネ２４(バネ材)で構成すると、偏心荷重が作用した際に、複数の小径皿バネ２４(バネ材)は、加えられる荷重に対して、個別に変形することができるので、１つの皿バネで構成する場合よりも自由度があり、偏心荷重に対してもある程度対応することができる。
【００３５】
また、本実施例の場合には、小径皿バネ２４(バネ材)は、テンドン１８を中心とする同心円上に対向するように環状に配置しているので、小径皿バネ２４(バネ材)の配置バランスを容易に採ることができるとともに、テンドン１８に導入される緊張力が大きくなると、同心円の数を増加させることにより容易に対応することができる。
【００３６】
さらにまた、本実施例の場合には、支圧板２６に、小径皿バネ２４(バネ材)の装着ガイド兼ストッパとなる複数の円筒状突起部３８を設けているので、円筒状突起部３８に複数のバネ材を装着すると、その位置決め配置が終了するので、取扱いが簡単になり、施工性が向上する。
【００３７】
なお、この円筒状突起部３８は、支圧板２６に代えて台座プレート３２側に設けても同じ機能が得られる。
【００３８】
図４は、本発明にかかるアンカー頭部の定着構造の第２実施例を示しており、上記実施例と同一もしくは相当する部分には、同一符号を付してその説明を省略するとともに、以下にその特徴点についてのみ説明する。
【００３９】
同図に示した実施例においても、支圧板２６と台座プレート３２との間を離間させる方向に付勢する弾性部材には、積層された小径皿バネ２４が用いられている。
【００４０】
そして、小径皿バネ２４と、台座プレート(締付け対象物)３２との間には、円盤状のバネ受けブロック５０が介装されている。このバネ受けブロック５０は、台座プレート３２側に固定され、支圧板２６の下面に突設された複数の円筒状突起部３８を、移動自在に案内する複数の挿入ガイド孔５２が、軸方向に沿って複数貫通形成されている。
【００４１】
また、バネ受けブロック５０の外径は、環状に形成されたヘッドキャップ３０の内径よりも若干小さくなっていて、ヘッドキャップ３０は、バネ受けブロック５０の外周縁に沿って案内されて、上下方向に移動可能になっている。
【００４２】
このように構成した定着構造によれば、小径皿バネ２４は、内周側が円筒状突起部３８に挿通され、上方が支圧板２６の下面に当接し、下方がバネ受けブロック５０の上面に当接しており、円筒状突起部３８をバネ受けブロック５０の挿入ガイド孔５２内に挿入することにより、その挙動が規制されるので、小径皿バネ２４の弾性変形が安定する。
【００４３】
また、このようなバネ受けブロック５０を用いると、小径皿バネ２４は、変形可能な状態で外部から隔離されるので、塵埃などの侵入付着を防止することができ、長期間安定した状態での使用に耐え得る。
【００４４】
図５は、本発明にかかるアンカー頭部の定着構造の第３実施例を示しており、上記実施例と同一もしくは相当する部分には、同一符号を付してその説明を省略するとともに、以下にその特徴点についてのみ説明する。
【００４５】
同図に示した実施例においても、支圧板２６と台座プレート３２との間を離間させる方向に付勢する弾性部材には、積層された小径皿バネ２４が用いられている。
【００４６】
本実施例では、小径皿バネ２４は、積層された状態で、上部および下部ユニットボックス５４,５６内に収納されている。上部および下部ユニットボックス５４,５６は、それぞれ一端が開口した円形凹状に形成されていて、開口端同士が相互に嵌合され、中心に両端が開口した中空円筒状の上部および下部ガイド部５８,６０が設けられている。
【００４７】
この上部および下部ガイド部５８,６０は、小径皿バネ２４を内部に収納する際の位置決めガイドとなるものであって、上部および下部ユニットボックス５４,５６が上下移動自在に嵌合される。
【００４８】
また、相互に嵌合された上部および下部ガイド部５８,６０内には、円筒状突起部３８が嵌合挿入される。なお、円筒状突起部３８を支圧板２６に設けない場合には、突起部３８に代えて、支圧板２６の下面に上部ユニットボックス５４の嵌合が可能な凹部を設け、台座プレート３２の上面側に下部ユニットボックス５６の嵌合が可能な凹部を設けてもよい。
【００４９】
以上のように構成した定着構造によれば、小径皿バネ２４は、上部および下部ユニットボックス５４,５６内に収納されユニット化されるので、取扱い性がより一層向上する。
【００５０】
図６〜図８は、図５に示した第３実施例の変形例であって、図５に示した例では、積層された状態で小径皿バネ２４を収納する上部および下部ユニットボックス５４ａ,５６ａを有している。
【００５１】
上部および下部ユニットボックス５４ａ,５６ａは、一端が開口した円形凹状に形成されていて、上部ユニットボックス５４ａの中心に中空円筒状の上部ガイド部５８ａが設けられている。下部ユニットボックス５６ａには、その中心に上部ガイド部５８ａの挿通可能な貫通孔６２が設けられている。
【００５２】
下部ユニットボックス５６ａは、その上端側の一部が上部ユニットボックス５４ａ内に挿入されている。このように構成した上部および下部ユニットボックス５４ａ,５６ｂを用いても、上記第３実施例と同等の作用効果が得られる。
【００５３】
図７に示した例では、積層された状態で小径皿バネ２４を収納する上部および下部ユニットボックス５４ｂ,５６ｂを有している。
【００５４】
上部ユニットボックス５４ｂは、一端が開口した円形凹状に形成されていて、上部ユニットボックス５４ｂの中心に中空円筒状の上部ガイド部５８ｂが設けられている。下部ユニットボックス５６ｂは、円盤状に形成されていて、その中心に上部ガイド部５８ａの挿通可能な貫通孔６４が設けられている。
【００５５】
下部ユニットボックス５６ｂは、上部ユニットボックス５４ｂの開口部を閉塞するようにして、その内部に挿入されている。このように構成した上部および下部ユニットボックス５４ｂ,５６ｂを用いても、上記第３実施例と同等の作用効果が得られる。
【００５６】
図８に示した例では、小径皿バネ２４は、積層された状態で、上部および下部ユニットボックス５４ｃ,５６ｃ内に収納されている。上部および下部ユニットボックス５４ｃ,５６ｃは、一端が開口した円形凹状に形成されていて、中心に中空円筒状の上部および下部ガイド部５８ｃ,６０ｃが設けられている。
【００５７】
この上部および下部ガイド部５８ｃ,６０ｃは、相互に嵌合されて、上部および下部ユニットボックス５４ｃ,５６ｃを上下移動自在に結合している。そして、上部および下部ガイド部５８ｃ,６０ｃの嵌合面間には、上下移動自在で、周方向に移動不能な凹凸部からなるスプライン構造部６４が設けられている。
【００５８】
このように構成した上部および下部ユニットボックス５４ｃ,５６ｃを用いても、上記第３実施例と同等の作用効果が得られる。
【００５９】
なお、上記実施例では、弾性部材として小径皿バネ２４を例示したが、本発明の実施は、これに限られることはなく、例えば、小径コイルバネや板バネ,ゴムなど同様な機能を有する部材であってもよく、小径皿バネ２４を用いる場合でも必ずしも積層する必要はなく、テンドン１８に導入する緊張力に応じて各種の形態を選択すれば良い。
【００６０】
さらに、本発明の定着構造は、法面地盤１０を締付ける場合に適用することができるだけでなく、構造物にプレストレス力を導入する場合などにも適用することができる。
【００６１】
【発明の効果】
以上、実施例で詳細に説明したように、本発明にかかるアンカー頭部の定着構造によれば、大きな緊張力に対して、総高の増大化を回避しつつ、経済的に対応することができ、しかも、偏心荷重に対しても対応することができる。
【００６２】
【図面の簡単な説明】
【図１】本発明の定着構造を採用したグラウンドアンカーの設置状態の断面説明図である。
【図２】図１のＡ−Ａ線断面図である。
【図３】図１に示した皿バネの詳細図である。
【図４】本発明の定着構造の第２実施例を示す要部断面説明図である。
【図５】本発明の定着構造の第３実施例を示す要部断面説明図である。
【図６】本発明の定着構造の第４実施例を示す要部断面説明図である。
【図７】本発明の定着構造の第５実施例を示す要部断面説明図である。
【図８】本発明の定着構造の第６実施例を示す要部断面説明図である。
【符号の簡単な説明】
１０        法面地盤
１２        アンカー
１８        テンドン
２０        定着構造部
２４        小径皿バネ
２６        支圧板
２８        定着具
【図１】
0004329184.tif 000002
【図２】
0004329184.tif 000003
【図３】
0004329184.tif 000004
【図４】
0004329184.tif 000005
【図５】
0004329184.tif 000006
【図６】
0004329184.tif 000007
【図７】
0004329184.tif 000008
【図８】
0004329184.tif 000009